(57)【要約】【課題】プッシュスイッチに関し、実装時にスイッチと押しボタンとのズレが生じても、また操作距離が長いスイッチであっても、良好な操作感触を確保することができ、さらに下方が平板状の押しボタンを使用することも可能なものを提供することを目的とする。【解決手段】円形開口部内に固定接点２，３，４を備えたケース１と、第１可動接点５とその上に載置された第２可動接点６とを円形開口部内に収容状態にして保護シート７がケース１上面に粘着され、その保護シート７の上から、外枠部２１Ｂとその外枠部２１Ｂからアーム部２１Ｃを介して繋がり、中央に位置した押圧部２１Ａを備えた操作体２１がケース１に取り付けられ、押圧部２１Ａの上面中央部位置に、ＰＥＴ樹脂やポリイミド樹脂等からなる所定高さの円柱状の操作突起２２を接着剤により固着して構成した。【選択図】図１
2012043719.tif 000002
【特許請求の範囲】
【請求項１】
上方開口の開口部内底面に複数の固定接点を配した合成樹脂製のケースと、上記開口部内に収容され、上記固定接点間を接離する上方凸形のドーム状に形成された弾性金属薄板製の可動接点と、上記ケースの開口部を覆って上面に取り付けられた可撓性を備えた絶縁性フィルム製の保護シートと、その保護シート上に配され、外枠部からアーム部を介して中央に位置した押圧部を備えた金属薄板製の操作体とからなり、この操作体の押圧部の上面位置に操作突起を一体に設けて、上記操作突起を押圧する押圧部材が、スイッチの操作距離一杯まで押下する際に上記操作突起以外に接触しないようになされていることを特徴とするプッシュスイッチ。
【請求項２】
操作体の押圧部に貫通孔が設けられ、その貫通孔を通じてカシメ固定されたリベットの一端で操作突起が形成されていることを特徴とする請求項１記載のプッシュスイッチ。
【発明の詳細な説明】
【技術分野】
【０００１】
本発明は、各種電子機器の操作部に用いられるプッシュスイッチに関するものである。
【背景技術】
【０００２】
各種電子機器の操作部には、操作時に軽快な節度感が得られるプッシュスイッチが多く採用されている。そして、電子機器の小型・薄型化の進むなかにあっても、プッシュスイッチの軽快な節度感を維持するように要望されている。
【０００３】
このような従来のプッシュスイッチについて、図８〜図１２を用いて説明する。
【０００４】
図８は従来のプッシュスイッチの断面図、図９は同分解斜視図である。
【０００５】
同図において、１は、上方開口の円形開口部を有した合成樹脂からなる略箱形のケースで、ケース１の４つの角部に対応する位置の円形開口部に、内底面から上面に通じる溝部１Ａがそれぞれ設けられている。そして、円形開口部内底面の中央に中央固定接点２とその中央固定接点２から所定距離離れた対称位置の２ヶ所に外側固定接点３，４が露出している。この中央固定接点２および２ヶ所の外側固定接点３，４は、それぞれ電気的に独立し、ケース１の合成樹脂内を通じて外方に導出された端子２Ａ，３Ａ，４Ａと繋がっている。
【０００６】
５は、上方凸形の円環部５Ａとその円環部５Ａの外縁の４ヶ所から斜め下方に向けて突出した脚部５Ｂを備えた弾性金属薄板からなる第１可動接点で、４つの脚部５Ｂはケース１の４ヶ所の溝部１Ａに対応した位置に配され、円形開口部内に収容されている。そして、この第１可動接点５は、ケース１の円形開口部内に収容された状態で、円環部５Ａ下面が間隔を空けて下方の外側固定接点３，４と対峙状態になされている。また、円環部５Ａの外径はケース１の円形開口部の内径によって水平方向の位置が決まるような大きさになされている。
【０００７】
なお、この第１可動接点５は、円環部５Ａを押圧されて所定の押圧力を超えると節度感を伴って円環部５Ａが下方凸形に弾性反転し、押圧を解除すると節度感を伴って元の状態に弾性復帰動作をするように形成されている。
【０００８】
６は、中央部を頂点として上方凸形に膨出形成された弾性金属薄板からなる円形ドーム状の第２可動接点で、第１可動接点５の円環部５Ａ外径とほぼ同じ大きさの外径になされており、外周下端が第１可動接点５の円環部５Ａ上に載置され、頂点部下面が中央固定接点２と間隔を空けて対峙状態にケース１の円形開口部内に収容されている。この第２可動接点６はドーム状頂点部を押圧されて所定の押圧力を超えると、ドーム状中央部が節度感を伴って下方凸形に弾性反転し、押圧力を解除すると節度感を伴って元の上方凸形に弾性復帰動作をするように形成されている。
【０００９】
そして、第２可動接点６が弾性反転する際の押圧力は第１可動接点５が弾性反転する際の押圧力より大きい値になされており、また第２可動接点６が弾性復帰する際の押圧力も第１可動接点５が弾性復帰する際の押圧力より大きい値になされている。
【００１０】
７は下面に図示しない粘着剤を備えた可撓性を備えた絶縁性フィルムからなる保護シートで、粘着剤によりケース１の上面に粘着固定されて円形開口部上面を覆っている。
【００１１】
８は保護シート７の上に配され、ケース１に取り付けられた金属薄板からなる操作体で、ケース１の上面中央に位置した押圧部８Ａとその押圧部８Ａから間隔を空けて位置した外枠部８Ｂとを備えており、その外枠部８Ｂと押圧部８Ａとを繋ぎ上下方向に弾性変形可能なアーム部８Ｃが点対称位置の２ヶ所に設けられている。この押圧部８Ａには、下方の第２可動接点６の頂点部に対応する中央位置に下方に突出した円形突部８Ｄが形成されている。
【００１２】
以上のように構成されたプッシュスイッチの動作について説明する。
【００１３】
図１０はプッシュスイッチを搭載した電子機器の要部断面図であり、当図において、５１は上面にプッシュスイッチを半田付け実装した回路基板で、図示しない端子用ランドに各端子２Ａ，３Ａ，４Ａが半田付けされている。
【００１４】
５２は鍔部５２Ａから下方に突出した下方突部５２Ｂと上方に突出した操作部５２Ｃを備えた押しボタンで、５３はボタン孔５３Ａが設けられた操作パネルであり、押しボタン５２は下方突部５２Ｂ下端がプッシュスイッチの押圧部８Ａ上面に当接し、操作部５２Ｃが操作パネル５３のボタン孔５３Ａから上方に突出されてプッシュスイッチが搭載されている。
【００１５】
このように搭載されたプッシュスイッチにおいて、まず、上方から押しボタン５２の操作部５２Ｃを押下すると、下方突部５２Ｂが操作体８の押圧部８Ａを押し下げ円形突部８Ｄが保護シート７を介して第２可動接点６のドーム状頂点部を押圧し、その押圧力が所定の大きさを超えると、図１１に示すように、第１可動接点５の脚部５Ｂが少し撓んだ状態となり円環部５Ａが節度感を伴って下方凸形に弾性反転して、円環部５Ａ下面が下方に対峙した２ヶ所の外側固定接点３，４に接触する。これにより、第１可動接点５を介して２ヶ所の外側固定接点３，４間が導通し、対応する端子３Ａ，４Ａ間がオンし、１段目のスイッチが機能する。
【００１６】
この外側固定接点３，４間の導通状態からさらに押しボタン５２を押下していくと、図１２に示すように、次は第２可動接点６のドーム状中央部が節度感を伴って下方凸形に弾性反転し、ドーム状頂点部下面が下方に対峙した中央固定接点２と接触する。これにより、第１可動接点５及び第２可動接点６を介して、中央固定接点２および外側固定接点３，４のそれぞれの間が導通し、対応する端子２Ａ，３Ａ，４Ａ間がオンし、２段目のスイッチが機能する。
【００１７】
そして、押しボタン５２に加えていた押下力を除くと、最初に第２可動接点６が節度感を伴って元の上方凸形に弾性復帰して、中央固定接点２から離間し、２段目のスイッチがオフの図１１に示した状態となり、次に第１可動接点５が節度感を伴って円環部５Ａが元の上方凸形に弾性復帰して、外側固定接点３，４から離間し、１段目のスイッチがオフとなって、図１０に示した初期状態となる。
【００１８】
なお、この出願の発明に関連する先行技術文献情報としては、例えば、特許文献１が知られている。
【先行技術文献】
【特許文献】
【００１９】
【特許文献１】特開２００８−４１６０３号公報
【発明の概要】
【発明が解決しようとする課題】
【００２０】
しかしながら上記従来のプッシュスイッチにおいては、実装されたスイッチと押しボタン５２との組み合わせズレが生じることもあり、押しボタン５２を押下してスイッチを動作させた際に、操作体８の押圧部８Ａ位置は外枠部８Ｂ位置から下方側に沈み込んだ状態となるため、操作距離が長いスイッチでは、押しボタン５２の下面が押圧部８Ａより外側のアーム部８Ｃ等に接触して、操作感触が劣化する恐れがあるという課題があった。
【００２１】
また、機器側としても、組み込み時など押しボタン５２下面の下方突部５２Ｂ部分での引っ掛かり防止のため、下方突部５２Ｂをなくして下方が平板状の押しボタンの使用が可能なものへの要望があった。
【００２２】
本発明は、このような従来の課題を解決するものであり、実装時にスイッチと押しボタンとのズレが生じても、また操作距離が長いスイッチであっても、良好な操作感触を確保することができ、さらに下方が平板状の押しボタンを使用することも可能なプッシュスイッチを提供することを目的とする。
【課題を解決するための手段】
【００２３】
上記目的を達成するために本発明は、以下の構成を有するものである。
【００２４】
本発明の請求項１に記載の発明は、上方開口の開口部内底面に複数の固定接点を配した合成樹脂製のケースと、上記開口部内に収容され、上記固定接点間を接離する上方凸形のドーム状に形成された弾性金属薄板製の可動接点と、上記ケースの開口部を覆って上面に取り付けられた可撓性を備えた絶縁性フィルム製の保護シートと、その保護シート上に配され、外枠部からアーム部を介して中央に位置した押圧部を備えた金属薄板製の操作体とからなり、この操作体の押圧部の上面位置に操作突起を一体に設けて、上記操作突起を押圧する押圧部材が、スイッチの操作距離一杯まで押下する際に上記操作突起以外に接触しないようになされていることを特徴とするプッシュスイッチとしたものであり、操作体の押圧部上面に操作突起を設けたことで、実装されて押しボタンとスイッチとの組み合わせズレが生じても、また操作距離が長いスイッチであっても、押しボタンは常に操作突起上面を押圧して操作突起以外に接触することがないため、良好な操作感触を確保することができ、さらに下方が平板状の押しボタンも使用可能なプッシュスイッチを提供することができるという作用を有する。
【００２５】
請求項２に記載の発明は、請求項１記載の発明において、操作体の押圧部に貫通孔が設けられ、その貫通孔を通じてカシメ固定されたリベットの一端で操作突起が形成されていることを特徴とするものであり、リベットをカシメて形成する操作突起であれば金属板に一体に形成することが容易で、効率的にできるという作用を有する。
【発明の効果】
【００２６】
以上のように本発明によれば、実装時にスイッチと押しボタンとのズレが生じても、また操作距離が長いスイッチであっても、良好な操作感触を確保することができ、さらに下方が平板状の押しボタンを使用することも可能なプッシュスイッチを実現することができるという有利な効果が得られる。
【図面の簡単な説明】
【００２７】
【図１】本発明の第１の実施の形態によるプッシュスイッチの断面図
【図２】同分解斜視図
【図３】同スイッチを搭載した電子機器の要部断面図
【図４】同２段目のスイッチの動作状態を示す要部断面図
【図５】本発明の第２の実施の形態によるプッシュスイッチの断面図
【図６】同操作体と操作突起の組み合わせを説明する図
【図７】同スイッチを搭載した電子機器の要部断面図
【図８】従来のプッシュスイッチの断面図
【図９】同分解斜視図
【図１０】同スイッチを搭載した電子機器の要部断面図
【図１１】同１段目のスイッチの動作状態を示す要部断面図
【図１２】同２段目のスイッチの動作状態を示す要部断面図
【発明を実施するための形態】
【００２８】
以下、本発明の実施の形態について、図１〜図７を用いて説明する。
【００２９】
なお、従来の技術の項で説明した構成と同一構成の部分には同一符号を付して、詳細な説明を簡略化する。
【００３０】
（実施の形態１）
図１は本発明の第１の実施の形態によるプッシュスイッチの断面図、図２は同分解斜視図である。
【００３１】
同図において、１は、上面に円形開口部を有した合成樹脂製の略箱形のケースで、円形開口部には内底面から上面に通じる溝部１Ａが外形の４つの角部に対応する位置にそれぞれ設けられ、内底面中央に中央固定接点２とその中央固定接点２から所定距離離れた対称位置の２ヶ所に外側固定接点３，４が露出している。この中央固定接点２および２ヶ所の外側固定接点３，４は、それぞれ電気的に独立し、ケース１の外方に導出された端子２Ａ，３Ａ，４Ａと繋がっている。
【００３２】
５は、中孔を有した上方凸形の円環部５Ａおよびその外縁の４ヶ所から斜め下方に向けて突出した脚部５Ｂを備えた弾性金属薄板からなる第１可動接点で、脚部５Ｂはケース１の溝部１Ａに位置され、円環部５Ａ下面が間隔を空けて下方の外側固定接点３，４と対峙状態に円形開口部内に収容されている。また、円環部５Ａの外径は、円形開口部の内径によって水平方向の位置が決まるような大きさになされている。なお、この第１可動接点５は、円環部５Ａを押圧されて所定の押圧力を超えると円環部５Ａは節度感を伴って下方凸形に弾性反転し、押圧を解除すると節度感を伴って元の状態に弾性復帰動作をするように形成されている。
【００３３】
６は、中央部を頂点とした上方凸形に形成された弾性金属薄板からなる円形ドーム状の第２可動接点で、第１可動接点５の円環部５Ａ外径とほぼ同じ大きさの外径に形成されており、外周下端が円環部５Ａ上に載置され、頂点部下面が中央固定接点２と間隔を空けて対峙状態にケース１の円形開口部内に収容されている。この第２可動接点６はドーム状頂点部を押下されて所定の押圧力を超えると、ドーム状中央部が節度感を伴って下方凸形に弾性反転し、押圧力を解除すると節度感を伴って元の上方凸形に弾性復帰動作をするように形成されている。
【００３４】
そして、第２可動接点６が弾性反転する際の押圧力は第１可動接点５が弾性反転する際の押圧力より大きい値になされ、また第２可動接点６が弾性復帰する際の押圧力は第１可動接点５が弾性復帰する際の押圧力より大きい値になされている。
【００３５】
７は下面に図示しない粘着剤を備えた可撓性を備えた絶縁性フィルムからなる保護シートで、ケース１の円形開口部上面を覆って粘着固定されている。
【００３６】
２１は保護シート７上に配され、ケース１に取り付けられた金属薄板からなる略矩形の操作体で、この操作体２１は、ケース１の円形開口部上面中央に位置した押圧部２１Ａと、その押圧部２１Ａから間隔を空けて外方に位置された外枠部２１Ｂと、押圧部２１Ａと外枠部２１Ｂとに繋がり上下方向に弾性変形可能なアーム部２１Ｃとを備え、アーム部２１Ｃは点対称位置の２ヶ所に設けられている。この押圧部２１Ａには、下方の第２可動接点６の頂点部に対応する位置に下方に突出した円形突部２１Ｄが備えられている。
【００３７】
以上は従来のものと同様であるが、本実施の形態によるものは、操作体２１の押圧部２１Ａの上面中央部位置にＰＥＴ樹脂やポリイミド樹脂等からなる円柱状の操作突起２２が接着剤により、固着されているところが異なっている。
【００３８】
この操作突起２２は、外径が押圧部２１Ａの下方に突出した円形突部２１Ｄの外径と同じか少し大きな外径で、高さは後述する所定高さになされており、エポキシ系接着剤あるいはウレタン系ＵＶ硬化接着剤等によって固着されている。なお、本実施の形態では、外径はφ１ｍｍ〜φ２ｍｍで、高さは０．１ｍｍ〜０．５ｍｍとした。
【００３９】
以上のように構成されたプッシュスイッチの動作について説明する。
【００４０】
図３は第１の実施の形態によるプッシュスイッチを搭載した電子機器の要部断面図であり、当図において、５１は上面にプッシュスイッチを半田付け実装した回路基板で、図示しない端子用ランドに各端子２Ａ，３Ａ，４Ａが半田付けされており、操作パネル５３のボタン孔５３Ａから操作部５２Ｃを突出した押しボタン５２がプッシュスイッチの上に位置し、下方突部５２Ｂ下端が操作体２１の押圧部２１Ａ上に一体に固着された操作突起２２の上面に当接してプッシュスイッチが搭載されている。
【００４１】
このように搭載されたプッシュスイッチにおいて、まず、上方から押しボタン５２の操作部５２Ｃを押下すると、下方突部５２Ｂによって操作突起２２に押圧力が加わり、操作突起２２と一体となされた押圧部２１Ａに押圧力が加わる。そして、操作体２１のアーム部２１Ｃが下方に弾性変形し、円形突部２１Ｄが保護シート７を介して第２可動接点６のドーム状頂点部を押圧し、その押圧力が所定の大きさを超えると、第１可動接点５の脚部５Ｂが少し撓みながら円環部５Ａが節度感を伴って下方凸形に弾性反転して、円環部５Ａ下面が下方の外側固定接点３，４に接触する。これにより、第１可動接点５を介して２ヶ所の外側固定接点３，４間が導通し、対応する端子３Ａ，４Ａ間がオンし、１段目のスイッチが機能する。
【００４２】
そして、この状態からさらに押しボタン５２を押下していくと、図４に示すように、次は第２可動接点６のドーム状中央部が節度感を伴って下方凸形に弾性反転し、ドーム状頂点部下面が下方の中央固定接点２と接触する。これにより、第１可動接点５、第２可動接点６を介して、中央固定接点２および外側固定接点３，４のそれぞれの間が導通し、対応する端子２Ａ，３Ａ，４Ａ間がオンし、２段目のスイッチが機能する。この押圧部２１Ａの下方への移動に際して、２ヶ所のアーム部２１Ｃが弾性変形することにより、押圧部２１Ａの下方向の長い移動にも対応できる。
【００４３】
そして、第２可動接点６のドーム状頂点部が弾性反転して２段目のスイッチが機能した図４の状態において、操作突起２２の高さは、押しボタン５２の下方突部５２Ｂが操作体２１のアーム部２１Ｃ等に接触しない高さとなるように設定されているため、２段のスイッチを有するような操作距離が長いスイッチであっても、１段目、２段目の各スイッチは良好な操作感触を維持したものにできる。
【００４４】
つまり、スイッチ操作の間において、操作突起２２の上面が操作体２１の外枠部２１Ｂ上面より上方に位置するように操作突起２２の高さは設定されている。
【００４５】
その後、押しボタン５２に加えていた押下力を除くと、最初に第２可動接点６が節度感を伴って元の上方凸形に弾性復帰して中央固定接点２から離れ、２段目のスイッチがオフの状態となり、次に第１可動接点５の円環部５Ａが節度感を伴って元の上方凸形に弾性復帰して外側固定接点３，４から離れ、１段目のスイッチがオフとなって、図３に示した押圧操作していない初期状態となる。
【００４６】
このように本実施の形態によれば、プッシュスイッチの操作体２１の押圧部２１Ａ上面に操作突起２２を設け、プッシュスイッチの操作距離一杯まで押圧操作しても、操作突起２２の上面が操作体２１の外枠部２１Ｂ上面より上方に位置するように、操作突起２２の高さを設定していることで、実装されたプッシュスイッチと押しボタン５２との位置ズレが生じていても、また操作距離が長いプッシュスイッチであっても、押しボタン５２の下面は操作突起２２上面を押圧するため、押しボタン５２がプッシュスイッチの操作突起２２以外に接触することがなく、安定して良好な操作感触を維持したものにすることができる。
【００４７】
さらに、図示しないが、プッシュスイッチの操作距離一杯まで押圧操作しても、操作突起２２の上面は操作体２１の外枠部２１Ｂ上面より上方に位置するように操作突起２２の高さを設定しているので、下方突部５２Ｂをなくした下方が平板状の押しボタンを使用しても、押しボタンが操作突起２２以外の部分に接触することがなく良好な操作感触を維持することができるプッシュスイッチを実現できる。
【００４８】
（実施の形態２）
なお、実施の形態１の構成と同一構成の部分には同一符号を付して、詳細な説明を省略する。
【００４９】
図５は本発明の第２の実施の形態によるプッシュスイッチの断面図、図６は同操作体と操作突起の組み合わせを説明する図である。
【００５０】
図５において、１は溝部１Ａを有する円形開口部内に中央固定接点２、外側固定接点３，４が配され、各固定接点２，３，４それぞれと繋がって外方へ延出された端子２Ａ，３Ａ，４Ａを備えた略箱形のケース、５は円環部５Ａと４つの脚部５Ｂを備えた第１可動接点、６は円形ドーム状の第２可動接点で、ケース１の円形開口部内に第１可動接点５が収容され、その第１可動接点５の円環部５Ａ上に第２可動接点６が載置状態になされて収容されている。そして、可撓性を有した保護シート７がケース１の上面を覆って粘着固定されている。
【００５１】
以上は、第１の実施の形態と同じであるが、本実施の形態によるものは、保護シート７上に配された金属薄板からなる操作体３１および操作体３１に取り付けられた操作突起３２Ｃが異なっている。
【００５２】
まず、操作体３１は、ケース１の円形開口部上面中央に位置した貫通孔を有した円板形の押圧部３１Ａと、間隔を空けて押圧部３１Ａを囲むように位置した外枠部３１Ｂと、押圧部３１Ａと外枠部３１Ｂとに繋がり上下方向に弾性変形可能なアーム部３１Ｃとを備え、このアーム部３１Ｃは点対称位置の２ヶ所に設けられている。押圧部３１Ａの貫通孔には、金属製のリベット３２がカシメ固定されている。図６に示すように、このリベット３２は、円柱部３２Ａとその一端が円柱状の柱状押圧部３２Ｂから構成されており、押圧部３１Ａの貫通孔に下方から円柱部３２Ａが挿通され、上方に突出した部分が潰しカシメされて固定されたもので、カシメ部分が円錐台状の操作突起３２Ｃとして形成されている。なお、柱状押圧部３２Ｂの先端部分の外径寸法は、第２可動接点６のドーム状頂点部が押圧されて弾性反転する際の操作感触が良好な状態となる大きさになされている。本実施形態によるものは、直径寸法が０．５〜１．５ｍｍとした。
【００５３】
本実施形態の操作体３１は、実施の形態１で説明した操作体２１の押圧部２１Ａに備えられていた円形突部２１Ｄの代わりに、貫通孔の設けられた押圧部３１Ａに固定されたリベット３２の柱状押圧部３２Ｂが第１の実施の形態で説明した円形突部２１Ｄと同じ機能を果たすようになされている。
【００５４】
なお、カシメ部分の形状は、円柱状や半球状であっても良い。また、リベット３２は上述とは逆に、上方から円柱部３２Ａを押圧部３１Ａの貫通孔に挿通して、下方に突出した円柱部３２Ａを潰しカシメして、カシメ部分が保護シート７側に位置し、上方側に位置した柱状押圧部を操作突起としても良い。さらに、合成樹脂製のリベットを採用し、カシメ部分を加熱して潰しカシメするようにしても良い。また、この操作突起３２Ｃの高さは、後述する所定高さになされている。
【００５５】
リベット３２を用いる場合は、操作突起３２Ｃの形成として、押圧部３１Ａに円柱部３２Ａをカシメ固定するのみでよく、また第２可動接点６のドーム状頂点部を安定して押圧するための円形突部２１Ｄに代わる柱状押圧部３２Ｂをリベット３２自体が備えているため、効率的である。そして、接着剤を用いないため接着時の量や硬化状態等の管理が不要で、製造コストを抑えることができる。
【００５６】
以上のように構成された本実施形態のプッシュスイッチについて、その動作を簡単に説明する。
【００５７】
図７は第２の実施の形態によるプッシュスイッチを搭載した電子機器の要部断面図であり、当図において、５１は上面にプッシュスイッチを半田付け実装した回路基板で、操作パネル５３のボタン孔５３Ａから操作部５２Ｃを突出した押しボタン５２がプッシュスイッチの上に位置し、下方突部５２Ｂ下端が操作体３１の押圧部３１Ａにカシメ固定されたリベット３２の操作突起３２Ｃ上端に当接している。
【００５８】
このように搭載されたプッシュスイッチにおいて、上方から押しボタン５２の操作部５２Ｃを押下すると、リベット３２の操作突起３２Ｃに押圧力が加わり、リベット３２下端の柱状押圧部３２Ｂが保護シート７を介して第２可動接点６を押圧し、その押圧力が所定の大きさを超えると、第１可動接点５の脚部５Ｂが少し撓みながら円環部５Ａが節度感を伴って弾性反転して、２ヶ所の外側固定接点３，４間が導通し、１段目のスイッチが機能する。
【００５９】
そして、この状態からさらに押しボタン５２を押下していくと、第２可動接点６が節度感を伴って弾性反転し、中央固定接点２および外側固定接点３，４のそれぞれの間が導通し、２段目のスイッチが機能する。
【００６０】
この２段目のスイッチが機能した状態において、操作突起３２Ｃの上面が操作体３１の外枠部３１Ｂより上方に位置するように操作突起３２Ｃの高さが設定されており、２段のスイッチを有するような操作距離が長いスイッチであっても押しボタン５２がアーム部３１Ｃ等に接触することがないため、スイッチの操作感触に影響を与えることはない。また、実装されたプッシュスイッチに対する押しボタン５２の位置の組み合わせズレが生じても、押しボタンの押圧位置は常に操作突起３２Ｃの上面であるため、良好な操作感触を維持できる。
【００６１】
その後、押しボタン５２に加えていた押下力を除くと、最初に第２可動接点６が節度感を伴って元の状態に弾性復帰して中央固定接点２から離れ、２段目のスイッチがオフの状態となり、次に節度感を伴って第１可動接点５の円環部５Ａが元の状態に弾性復帰して外側固定接点３，４から離れ、１段目のスイッチがオフとなって、図３に示した初期状態となる。
【００６２】
このように本実施の形態によれば、操作体３１の押圧部３１Ａに設けた貫通孔にリベット３２の円柱部３２Ａを挿通し、挿通した端部を潰しカシメして所定高さの操作突起３２Ｃとして形成したので、操作突起３２Ｃの形成が容易であり、また接着剤を用いないのでその管理も不要となり製造コストを抑えることができる。さらに、リベット３２の他端で第２可動接点６を押圧する所定の大きさの突部を兼ねることができるため、都合が良いものとなる。
【００６３】
なお、上述の形態では、２つ（２種）の可動接点をケース内に収容して構成したスイッチについて説明したが、１つ（１種）の可動接点をケース内に収容して構成したスイッチでも良く、操作距離が短いスイッチでも押圧部に操作突起を設けることで良好な操作感触を維持することができる。
【産業上の利用可能性】
【００６４】
本発明によるプッシュスイッチは、実装時にスイッチと押しボタンとのズレが生じても、また操作距離が長いスイッチであっても、良好な操作感触を維持することができ、さらに下方が平板状の押しボタンを使用することも可能なものにでき、主に各種電子機器の操作部等に有用である。
【符号の説明】
【００６５】
１  ケース
１Ａ  溝部
２  中央固定接点
２Ａ，３Ａ，４Ａ  端子
３，４  外側固定接点
５  第１可動接点
５Ａ  円環部
５Ｂ  脚部
６  第２可動接点
７  保護シート
２１，３１  操作体
２１Ａ，３１Ａ  押圧部
２１Ｂ，３１Ｂ  外枠部
２１Ｃ，３１Ｃ  アーム部
２１Ｄ  円形突部
２２，３２Ｃ  操作突起
３２  リベット
３２Ａ  円柱部
３２Ｂ  柱状押圧部
５１  回路基板
５２  押しボタン
５２Ａ  鍔部
５２Ｂ  下方突部
５２Ｃ  操作部
５３  操作パネル
５３Ａ  ボタン孔
【図１】
2012043719.tif 000003
【図２】
2012043719.tif 000004
【図３】
2012043719.tif 000005
【図４】
2012043719.tif 000006
【図５】
2012043719.tif 000007
【図６】
2012043719.tif 000008
【図７】
2012043719.tif 000009
【図８】
2012043719.tif 000010
【図９】
2012043719.tif 000011
【図１０】
2012043719.tif 000012
【図１１】
2012043719.tif 000013
【図１２】
2012043719.tif 000014